(57)【要約】【課題】追加部品を設けること無く、簡易な構成で誘電体同軸共振器からの放熱性を高める。【解決手段】信号処理装置１１は、共振器装置１と、筐体１３と、を備えている。共振器装置１は、ＰＣＢ基板５と、誘電体同軸共振器２Ａと、を備えている。誘電体同軸共振器２Ａは、底面の一部領域がＰＣＢ基板５から露出するようにＰＣＢ基板５の天面に載置されている。筐体１３は、外装板１４と突起部１５とを備えている。外装板１４は、共振器装置１を収容する内部空間に面している。突起部１５は、外装板１４から内部空間に向けて突起し、ＰＣＢ基板５から露出する誘電体同軸共振器２Ａの底面に接している。外装板１４および突起部１５は、ＰＣＢ基板５よりも高い熱伝導性を有している。【選択図】図３
2014112800.tif 000002
【特許請求の範囲】
【請求項１】
周波数回路を筐体に収容している信号処理装置であって、
前記周波数回路の構成素子であり、誘電体ブロックの外面に外導体を設け、前記誘電体ブロックの貫通孔に内導体を設けてなる誘電体同軸共振器と、
前記誘電体同軸共振器を天面に搭載している基板と、
前記筐体から筐体の内部空間に突出しており、前記基板よりも高い熱伝導性を有する突起部と、を備え、
前記誘電体同軸共振器の底面の一部領域が、前記基板から露出して前記突起部と接している、信号処理装置。
【請求項２】
流動性と、前記基板よりも高い熱伝導性と、を有する緩衝材を備え、
前記基板から露出する前記誘電体同軸共振器の底面が、前記緩衝材に覆われている、請求項１に記載の信号処理装置。
【請求項３】
前記基板は、天面と底面とに開口する開口部を備え、
前記誘電体同軸共振器の底面の一部領域が、前記開口部から露出する、
請求項１または２に記載の信号処理装置。
【請求項４】
前記開口部は孔状であり、
前記貫通孔が開口する前記誘電体同軸共振器の正面側端部と背面側端部との間の中央部が、前記開口部から露出する、請求項３に記載の信号処理装置。
【請求項５】
前記開口部は切欠き状であり、
前記貫通孔が開口する前記誘電体同軸共振器の背面側端部が、前記開口部から露出する、請求項３に記載の信号処理装置。
【請求項６】
前記誘電体同軸共振器を囲む筒状であり、前記基板よりも高い熱伝導性を有するカバー材を備え、
前記基板から露出する前記誘電体同軸共振器の底面が、前記カバー材に覆われている、請求項１〜５のいずれかに記載の信号処理装置。
【請求項７】
誘電体ブロックの外面に外導体を設け、前記誘電体ブロックの貫通孔に内導体を設けてなる誘電体同軸共振器と、
前記誘電体同軸共振器を天面に搭載している基板と、
前記誘電体同軸共振器および前記基板を内部空間に収容する筐体と、
前記筐体から前記内部空間に突出しており、前記基板よりも高い熱伝導性を有する突起部と、を備え、
前記誘電体同軸共振器の底面の一部領域が、前記基板から露出して前記突起部と接している、共振器装置。
【請求項８】
誘電体ブロックの外面に外導体を設け、前記誘電体ブロックの貫通孔に内導体を設けてなる誘電体同軸共振器と、
前記誘電体同軸共振器を天面に搭載している基板と、
を備え、
前記誘電体同軸共振器の底面の一部領域が、前記基板から露出している、共振器装置。
【請求項９】
流動性と、前記基板よりも高い熱伝導性と、を有する緩衝材を備え、
前記基板から露出する前記誘電体同軸共振器の底面が、前記緩衝材に覆われている、請求項７または８に記載の共振器装置。
【請求項１０】
前記基板は、天面と底面とに開口する開口部を備え、
前記誘電体同軸共振器の底面の一部領域が、前記開口部から露出する、
請求項７〜９のいずれかに記載の共振器装置。
【請求項１１】
前記開口部は孔状であり、
前記貫通孔が開口する前記誘電体同軸共振器の正面側端部と背面側端部との間の中央部が、前記開口部から露出する、請求項１０に記載の共振器装置。
【請求項１２】
前記開口部は切欠き状であり、
前記貫通孔が開口する前記誘電体同軸共振器の背面側端部が、前記開口部から露出する、請求項１０に記載の共振器装置。
【請求項１３】
前記誘電体同軸共振器を囲む筒状であり、前記基板よりも高い熱伝導性を有するカバー材を備え、
前記基板から露出する前記誘電体同軸共振器の底面が、前記カバー材に覆われている、請求項７〜１２のいずれかに記載の共振器装置。
【発明の詳細な説明】
【技術分野】
【０００１】
この発明は、誘電体同軸共振器を基板上に設けてフィルタ回路や発振回路などを構成した共振器装置と、共振器装置を筐体内に収容している信号処理装置と、に関するものである。
【背景技術】
【０００２】
誘電体同軸共振器を基板上に設けてフィルタ回路や発振回路などを構成したモジュール構造の共振器装置が従来から利用されている（例えば、特許文献１乃至３参照）。共振器装置は、無線通信システムの基地局などの信号処理装置で利用される場合、数Ｗ（ワット）から数十Ｗの大電力が印加されることがある。共振器装置に大電力が印加されると、誘電体同軸共振器には大きな発熱が生じ、誘電体同軸共振器の周囲での電極やはんだの劣化、誘電体ブロックの破損、誘電体同軸共振器におけるＱ値の低下などが発生することがある。
【０００３】
そこで、特許文献１では、誘電体同軸共振器が有する貫通孔に内導体を充填し、誘電体同軸共振器の放熱性を高めた構成が記載されている。また、特許文献２では、誘電体同軸共振器が有する貫通孔に水冷用のチューブを設け、誘電体同軸共振器の放熱性を高めた構成が記載されている。また、特許文献３では、放熱用フィンが設けられたカバーを誘電体同軸共振器に取り付け、誘電体同軸共振器の放熱性を高めた構成が記載されている。
【先行技術文献】
【特許文献】
【０００４】
【特許文献１】特開平０５−９０８１１号公報
【特許文献２】実開平０６−６２６０８号公報
【特許文献３】実開２００８−２１１３０９号公報
【発明の概要】
【発明が解決しようとする課題】
【０００５】
特許文献１の構成では、誘電体同軸共振器自体の放熱性を高めることができても、誘電体同軸共振器が搭載される基板の熱伝導性が低いと十分な放熱ができず、発熱に伴う問題を回避することができなかった。特に、熱伝導性が低いＰＣＢ基板に誘電体同軸共振器が搭載される場合には、ＰＣＢ基板を介した熱伝達が非常に小さく、誘電体同軸共振器からの放熱を行うことが難しかった。また、通常は接続端子が挿入される貫通孔に内導体が設けられているために、誘電体同軸共振器の電気接続のために特殊な接続方法を採用する必要があり、コストの低減や小型化、実装容易化などが難しかった。
【０００６】
特許文献２の構成では、水冷用の追加部品が必要となり、コストの低減や小型化、実装容易化などが難しかった。また、通常は接続端子が挿入される貫通孔に水冷用のチューブが設けられているために、やはり、誘電体同軸共振器の電気接続のために特殊な接続方法を採用する必要があり、コストの低減や小型化、実装容易化などが難しかった。
【０００７】
特許文献３の構成では、誘電体同軸共振器の周辺での換気が十分でなければ、誘電体同軸共振器の周辺気温が高くなってしまうため、放熱用フィンによる高い放熱性を維持することが難しかった。また、放熱用フィンを設けたカバーの分だけ、共振器装置の製造コストや、サイズ、重量が増大してしまい、その上、カバーと誘電体同軸共振器との接合状態に応じて、誘電体同軸共振器の高周波特性（例えば減衰特性）の変動が生じてしまうという問題があった。
【０００８】
そこで、本発明の目的は、追加の構成を設けること無く、簡易な構成で誘電体同軸共振器からの放熱性を高めることができ、信頼性を高めた共振器装置および信号処理装置を提供することにある。
【課題を解決するための手段】
【０００９】
この発明の信号処理装置は、周波数回路を筐体に収容しており、誘電体同軸共振器と、基板と、突起部と、を備えている。また、この発明の共振器装置は、誘電体同軸共振器と、突起部と、を備えている。または、この発明の共振器装置は、誘電体同軸共振器と、基板と、筐体と、突起部と、を備えている。誘電体同軸共振器は、信号処理装置における周波数回路の構成素子であり、誘電体ブロックの外面に外導体を設け、前記誘電体ブロックの貫通孔に内導体を設けてなる。突起部は、筐体から筐体の内部空間に突出しており、基板よりも高い熱伝導性を有する。誘電体同軸共振器の底面の一部領域は、基板から露出して突起部と接している。
【００１０】
以上の構成では、誘電体同軸共振器が、基板だけでなく筐体の突起部にも接することになるので、基板の熱伝導率が低くても、誘電体同軸共振器から筐体への、突起部を介した直接の熱伝達がおこり、放熱性を高めることができる。
【００１１】
上述の信号処理装置および共振器装置は、流動性と、共振器装置の基板よりも高い熱伝導性とを有する緩衝材を備え、基板から露出する前記誘電体同軸共振器の底面が、前記緩衝材に覆われていると好適である。これにより、基板の厚みや突起部の高さにばらつきがあったり、突起部と誘電体同軸共振器との接触面の平坦度が低くても、誘電体同軸共振器と突起部とを緩衝材を介して確実に接触させることができ、誘電体同軸共振器と突起部との間での熱伝達効率を高められる。
【００１２】
上述の基板は、天面と底面とに開口する開口部を備え、誘電体同軸共振器の底面の一部領域が、開口部から露出すると好適である。開口部は孔状であり、貫通孔が開口する誘電体同軸共振器の正面側端部と背面側端部との間の中央部が、開口部から露出してもよい。また、上述の開口部は切欠き状であり、貫通孔が開口する誘電体同軸共振器の背面側端部が、開口部から露出してもよい。このようにすれば、筐体上での基板および誘電体同軸共振器の安定性が高まり、実装作業における作業性が高まる。
【００１３】
上述の信号処理装置および共振器装置は、誘電体同軸共振器を囲む筒状であり基板よりも高い熱伝導性を有するカバー材を備え、基板から露出する誘電体同軸共振器の底面が、カバー材に覆われていると好適である。これにより、カバー材を介して誘電体同軸共振器から周辺大気への放熱性を高めることができる。また、突起部の高さが低い場合でも、カバー材を介して誘電体同軸共振器と突起部とを接触させることができる。
【発明の効果】
【００１４】
この発明によれば、誘電体同軸共振器の底面の一部領域が、誘電体同軸共振器を搭載する基板から露出し、筐体から突起する突起部と接触するので、基板の熱伝導率が低くても、誘電体同軸共振器から筐体へ突起部を介した直接の熱伝達がおこり、放熱性を高めることができる。したがって、追加部品を設けること無く、共振器装置や信号処理装置の信頼性を高めることができる。
【図面の簡単な説明】
【００１５】
【図１】本発明の第１の実施形態に係る共振器装置を示す分解斜視図および平面図である。
【図２】本発明の第１の実施形態に係る共振器装置を示す等価回路図である。
【図３】本発明の第１の実施形態に係る信号処理装置の要部を示す断面図である。
【図４】本発明の第２の実施形態に係る共振器装置を示す平面図である。
【図５】本発明の第３の実施形態に係る共振器装置を示す平面図および信号処理装置の要部を示す断面図である。
【図６】本発明の第４の実施形態に係る信号処理装置の要部を示す断面図である。
【図７】本発明の第５の実施形態に係る共振器装置を示す平面図および信号処理装置の要部を示す断面図である。
【発明を実施するための形態】
【００１６】
以下、本発明に係る信号処理装置を、携帯通信システムで利用される基地局や中継局とし、本発明に係る共振器装置を、基地局や中継局の周波数回路に利用される共振器装置とする例を説明する。なお、本発明に係る信号処理装置は、基地局や中継局の他、携帯通信端末や、携帯通信システム以外で利用される信号処理装置であってもよい。
【００１７】
《第１の実施形態》
図１（Ａ）は、第１の実施形態に係る共振器装置を示す分解斜視図である。図１（Ｂ）は、第１の実施形態に係る共振器装置を示す平面図である。
第１の実施形態に係る共振器装置１は、複数の誘電体同軸共振器２Ａ，２Ｂ，２Ｃと、金属端子３Ａ，３Ｂ，３Ｃと、結合部材４と、ＰＣＢ基板５とを備えている。
【００１８】
誘電体同軸共振器２Ａ〜２Ｃは、それぞれ、誘電体ブロック２１と、外導体２２と、内導体２３とを備えている。誘電体ブロック２１は、誘電体材料からなり、正面と背面と天面と底面と右側面と左側面とを有する六面体であって、正面と背面とに開口する貫通孔２４が設けられている。より具体的には、誘電体ブロック２１は、ＬＴＣＣ（低温同時焼結セラミックス）からなり、正面および背面が正方形状であり、正面と背面との間を長手とする長方体である。外導体２２は、誘電体ブロック２１の外面のうち、正面を除く五面それぞれの全面に設けられている。内導体２３は、貫通孔２４の内面に設けられている。誘電体同軸共振器２Ａ〜２Ｃは、誘電体同軸共振器２Ａと誘電体同軸共振器２Ｂとの間に誘電体同軸共振器２Ｃが挟まれるように配列されている。
ここでは、誘電体ブロック２１の正面には外導体２２を設けずに背面に外導体２２を設けて、内導体２３を、外導体２２に対して一端短絡、且つ、一端開放としている。これにより、誘電体同軸共振器２Ａ〜２Ｃは、１／４波長共振器として構成されている。なお、誘電体ブロック２１の正面および背面に外導体２２を設けずに、内導体２３を外導体２２に対して両端開放としてもよい。このようにすれば、誘電体同軸共振器２Ａ〜２Ｃを１／２波長共振器として構成することができる。
【００１９】
金属端子３Ａは、誘電体同軸共振器２Ａに取り付けられている。金属端子３Ｂは、誘電体同軸共振器２Ｂに取り付けられている。金属端子３Ｃは、誘電体同軸共振器２Ｃに取り付けられている。金属端子３Ａ〜３Ｃは、銅やアルミなどの素材からなり、それぞれ、筒部３１と、舌部３２とを備えている。筒部３１と舌部３２とは、一体の金属板から構成されている。筒部３１は、金属板を筒状に湾曲させて構成されており、誘電体ブロック２１の貫通孔２４に挿入され、貫通孔２４の内部に設けられている内導体２３にはんだ付けされている。舌部３２は、金属板から筒部３１の軸方向に延伸する舌状に構成されており、貫通孔２４から誘電体ブロック２１の正面側に突出している。
【００２０】
結合部材４は、誘電体板４１と、天面電極４２Ａ，４２Ｂ，４２Ｃと、底面電極４３Ａ，４３Ｂと、を備えている。誘電体板４１は、ＬＴＣＣやガラスエポキシなどからなり、天面および底面が長方形状の平板である。天面電極４２Ａ〜４２Ｃは、誘電体板４１の天面に長手方向に並べて配置されており、天面電極４２Ａと天面電極４２Ｂとの間に天面電極４２Ｃが挟まれている。天面電極４２Ａは、金属端子３Ａがはんだ付けなどの接合法を用いて取り付けられている。天面電極４２Ｂは、金属端子３Ｂがはんだ付けなどの接合法を用いて取り付けられている。天面電極４２Ｃは、金属端子３Ｃがはんだ付けなどの接合法を用いて取り付けられている。
底面電極４３Ａ，４３Ｂは、誘電体板４１の底面に設けられている。底面電極４３Ａと天面電極４２Ａとは、互いの一部領域同士が誘電体板４１を介して対向するように設けられている。また、底面電極４３Ｂと天面電極４２Ｂとは、互いの一部領域同士が誘電体板４１を介して対向するように設けられている。このため、底面電極４３Ａ，４３Ｂと天面電極４２Ａ，４２Ｂとは、容量結合している。
【００２１】
ＰＣＢ基板５は、板部５１と、接続電極５２Ａ，５２Ｂと、接地電極５３と、を備えている。板部５１は、ガラスエポキシなどからなる概略正方形状の平板である。接続電極５２Ａは、板部５１の天面から左側面を経由して底面に至るように設けられている。接続電極５２Ｂは、板部５１の上面から右側面を経由して下面に至るように設けられている。接地電極５３は、板部５１の天面から背面を経由して底面に至るように設けられている。
【００２２】
接続電極５２Ａ，５２Ｂの天面側には、結合部材４が取り付けられている。そして、接続電極５２Ａは、結合部材４の底面電極４３Ａがはんだ付けなどの接合法を用いて接合されている。接続電極５２Ｂは、結合部材４の底面電極４３Ｂがはんだ付けなどの接合法を用いて接合されている。接地電極５３の天面側には、誘電体同軸共振器２Ａ〜２Ｃが取り付けられており、誘電体同軸共振器２Ａ〜２Ｃの外導体２２がはんだ付けなどの接合法を用いて接合されている。なお、図示していないが接地電極５３は、板部５１の底面側では結合部材４および誘電体同軸共振器２Ａ〜２Ｃに対向するような形状で設けられている。
【００２３】
そして、誘電体同軸共振器２Ａ〜２Ｃは、背面側の端部がＰＣＢ基板５から背面方向に突出するように配置されている。即ち、共振器装置１を底面側から視て、誘電体同軸共振器２Ａ〜２Ｃの背面側の端部が、ＰＣＢ基板５から露出している。
【００２４】
図２は、共振器装置１の等価回路図である。
【００２５】
誘電体同軸共振器２Ａは、入出力段の１／４波長共振器を構成しており、接続電極５２Ａが構成する外部接続端子と、静電容量Ｃｅを介して開放端が結合している。また、誘電体同軸共振器２Ｂも、入出力段の１／４波長共振器を構成しており、接続電極５２Ｂが構成する外部接続端子と、静電容量Ｃｅを介して開放端が結合している。静電容量Ｃｅは、結合部材４において、天面電極４２Ａ，４２Ｂと底面電極４３Ａ，４３Ｂとが誘電体板４１を介して対向することにより構成されている。
【００２６】
誘電体同軸共振器２Ａ，２Ｂが構成する入出力段の１／４波長共振器と、誘電体同軸共振器２Ｃが構成する中間段の１／４波長共振器とは、開放端同士が静電容量Ｃｋを介して結合している。静電容量Ｃｋは、結合部材４において、天面電極４２Ａ，４２Ｂと天面電極４２Ｃとが隣り合うことにより構成されている。
【００２７】
誘電体同軸共振器２Ａ〜２Ｃが構成する１／４波長共振器それぞれの開放端は、静電容量Ｃｓを介して接地されている。静電容量Ｃｓは、結合部材４において、天面電極４２Ａ〜４２Ｃが、誘電体板４１およびＰＣＢ基板５を介して、ＰＣＢ基板５の底面に形成されている接地電極５３と対向することにより構成されている。
【００２８】
即ち、ここでの共振器装置１は、互いに容量結合する３段の１／４波長共振器と、入出力段の共振器に容量結合する外部接続端子と、からなる帯域通過型のフィルタ回路（ＢＰＦ回路）を構成している。なお、共振器装置１は、ＢＰＦ回路に限らず、誘電体同軸共振器を用いるならば別の回路構成であってもよい。例えば、異なる段数の共振器を備えても良い。また、帯域阻止フィルタ（ＢＥＦ）や、高域通過フィルタ（ＨＰＦ）、低域通過フィルタ（ＬＰＦ）、発振回路などであってもよい。
【００２９】
図３は、第１の実施形態に係る信号処理装置の要部構成を示す断面図である。
【００３０】
信号処理装置１１は、前述の共振器装置１と、実装基板１２と、筐体１３と、を備えている。実装基板１２は、平板状であり、天面に共振器装置１を含む複数の素子やモジュールを実装して通信回路を構成するものである。筐体１３は、全体像については図示していないが内部空間を有する箱型のアルミ筐体であり、共振器装置１を実装する実装基板１２や、図示していない電源モジュールなど、多種のモジュールを内部に収容するものである。なお、筐体１３は、共振器装置１のＰＣＢ基板５よりも熱伝導率の高い素材で構成されていると好適である。
【００３１】
筐体１３は、外装板１４と、突起部１５とを備えている。外装板１４は、平板状であり、共振器装置１の底面側に位置し、筐体１３の内部空間に面している。突起部１５は、外装板１４から筐体１３の内部空間に突起している。
【００３２】
共振器装置１は、実装基板１２の天面の端に配置した状態で、実装基板１２に実装されている。誘電体同軸共振器２Ａ〜２Ｃに重なるＰＣＢ基板５の背面側の側面と、実装基板１２の背面側の側面とが面一になるように位置合わせされている。したがって、共振器装置１を実装している状態の実装基板１２を底面側から視ると、実装基板１２から誘電体同軸共振器２Ａ〜２Ｃが露出している。
そして、実装基板１２は、図示しないボルトやナットなどを用いて、筐体１３の外装板１４に取り付けられている。この状態で、外装板１４の突起部１５は、共振器装置１の誘電体同軸共振器２Ａ〜２Ｃの底面に接触するように構成されている。即ち、突起部１５は、実装基板１２を外装板１４に取り付けた状態で、誘電体同軸共振器２Ａ〜２Ｃの底面に接触するように、その位置と突起高さとが設定されている。したがって、ＰＣＢ基板５よりも熱伝導率の高い素材であるアルミなどで構成されている突起部１５を介した熱伝達により、誘電体同軸共振器２Ａ〜２Ｃから筐体１３への放熱が行われる。
【００３３】
このような構成の信号処理装置１１は、共振器装置１に数Ｗ（ワット）から数十Ｗほどの高い電力が印加されても、熱伝導性の良好な突起部１５を介した熱伝達によって、誘電体同軸共振器２Ａ〜２Ｃから筐体１３への放熱が行われる。筐体１３は、熱容量および表面積が大きく、且つ、外気に接しているため、放熱性が極めて高く、誘電体同軸共振器２Ａ〜２Ｃは高温になりにくい。したがって、このような構成の信号処理装置１１によれば、誘電体同軸共振器２Ａ〜２Ｃにおける熱による損壊の発生やＱ値の低下が起こり難くなり、信号処理装置１１および共振器装置１の信頼性や性能安定性が向上することになる。
【００３４】
なお、ここでは筐体１３を、導電性を有するアルミ製とし、筐体１３の突起部１５を直接、誘電体同軸共振器２Ａ〜２Ｃの外導体２２に接触させているため、筐体１３が信号処理装置１１のアースとして機能する場合には、突起部１５を介して外導体２２が接地される。これにより、誘電体同軸共振器２Ａ〜２Ｃにおける外導体２２のアース性が向上し、減衰量の増加などの特性改善も実現することができる。ただし、誘電体同軸共振器２Ａ〜２Ｃの放熱性の改善という観点からは、突起部１５を介した導通は必ずしも必要では無く、突起部１５の表面に不導体膜などが形成されていてもよい。
【００３５】
また、共振器装置１および信号処理装置１１は、上述の具体的構成に限らず、特許請求の範囲に記載した構成の範囲内で、別の具体的構成であってもよい。例えば、共振器装置１のみを囲うケースを設け、そのケースに、誘電体同軸共振器２Ａ〜２Ｃの底面を露出させる開口部を設けるようにしてもよい。また、共振器装置１のみを囲うケースに、誘電体同軸共振器２Ａ〜２Ｃの底面に接触する突起部を設けるように構成してもよい。
【００３６】
≪第２の実施形態≫
図４は、第２の実施形態に係る共振器装置を示す平面図である。なお、第２の実施形態に係る信号処理装置は、ＰＣＢ基板の構成を除き、第１の実施形態と同じであり、図３（Ｂ）で示した第１の実施形態に係る信号処理装置と同じ断面構造を有している。
【００３７】
第２の実施形態に係る共振器装置６１は、誘電体同軸共振器２Ａ，２Ｂ，２Ｃと、金属端子３Ａ，３Ｂ，３Ｃと、結合部材４と、ＰＣＢ基板６２とを備えている。ＰＣＢ基板６２は、板部６３と、接続電極５２Ａ，５２Ｂと、接地電極５３と、を備えている。誘電体同軸共振器２Ａ，２Ｂ，２Ｃと、金属端子３Ａ，３Ｂ，３Ｃと、結合部材４と、接続電極５２Ａ，５２Ｂと、接地電極５３とは、第１の実施形態で説明した構成と同様のものである。
【００３８】
板部６３は、ガラスエポキシなどからなり、背面から正面側に切り欠かれた切欠き状の開口部６４と、開口部６４の側方に位置し、板部６３から背面側に突出する延伸部６５と、を備える平板である。
【００３９】
このＰＣＢ基板６２に対して、誘電体同軸共振器２Ａ〜２Ｃは、正面側端部が板部６３に重なり、背面側端部が開口部６４に突出するように配置されている。即ち、誘電体同軸共振器２Ａ〜２Ｃの背面側端部は、開口部６４から露出している。
【００４０】
このような構成の共振器装置６１では、正面−背面間での重心が、ＰＣＢ基板６２上に位置する。したがって、共振器装置６１を実装する際に、ＰＣＢ基板６２の安定性が高まり、実装作業における作業性がより良好なものになる。
このような構成の共振器装置６１を、筐体に収容し、筐体の外装板から突起する突起部を誘電体同軸共振器２Ａ〜２Ｃの底面に接触させれば、本実施形態に係る信号処理装置を構成することができる。
【００４１】
≪第３の実施形態≫
図５（Ａ）は、第３の実施形態に係る共振器装置を示す平面図である。図５（Ｂ）は、第３の実施形態に係る信号処理装置の要部構成を示す断面図である。
【００４２】
第３の実施形態に係る共振器装置７１は、誘電体同軸共振器２Ａ，２Ｂ，２Ｃと、金属端子３Ａ，３Ｂ，３Ｃと、結合部材４と、ＰＣＢ基板７２とを備えている。ＰＣＢ基板７２は、板部７３と、接続電極５２Ａ，５２Ｂと、接地電極５３と、を備えている。誘電体同軸共振器２Ａ，２Ｂ，２Ｃと、金属端子３Ａ，３Ｂ，３Ｃと、結合部材４と、接続電極５２Ａ，５２Ｂと、接地電極５３とは、第１の実施形態で説明した構成と同様のものである。
【００４３】
板部７３は、ガラスエポキシなどからなり、天面および底面に開口する孔状の開口部７４を備える平板である。このＰＣＢ基板７２に対して、誘電体同軸共振器２Ａ〜２Ｃは、正面側端部および背面側端部が板部７３に重なり、正面側端部と背面側端部との間の中央部が開口部７４に重なるように配置される。即ち、誘電体同軸共振器２Ａ〜２Ｃの正面側端部と背面側端部との間の中央部は、開口部７４から露出している。
【００４４】
第３の実施形態に係る信号処理装置７５は、共振器装置７１と、実装基板７６と、筐体７７と、を備えている。実装基板７６は、共振器装置７１と同様に開口部を有する平板状である。筐体７７は、外装板７８と、突起部７９とを備えている。外装板７８は、平板状であり、筐体７７の一面を構成している。突起部７９は、外装板７８から筐体７７の内部空間に突起するものである。
【００４５】
共振器装置７１のＰＣＢ基板７２と実装基板７６とは、互いの開口部が重なる状態で、実装基板７６に実装されている。したがって、共振器装置７１を実装している状態の実装基板７６を底面側から視ると、実装基板７６の開口部から、誘電体同軸共振器２Ａ〜２Ｃの中央部が露出している。そして、突起部７９は、開口部に挿入されて、共振器装置７１の誘電体同軸共振器２Ａ〜２Ｃの底面に接触している。即ち、突起部７９は、実装基板７６を外装板７８に取り付けた状態で、誘電体同軸共振器２Ａ〜２Ｃの底面に接触するように、その位置と高さが設定されている。
【００４６】
このような構成の共振器装置７１でも、正面−背面間での重心が、ＰＣＢ基板７２上に位置する。したがって、共振器装置７１を実装する際に、ＰＣＢ基板７２の安定性が高まり、実装作業における作業性がより良好なものになる。また、共振器装置７１において、誘電体同軸共振器２Ａ〜２Ｃの正面側端部だけでなく、背面側端部においても接地電極５３との接触が生じるので、誘電体同軸共振器２Ａ〜２Ｃの外導体と、接地電極５３との接触面積を稼ぐことができ、接触抵抗が低減する。また、誘電体同軸共振器２Ａ〜２Ｃの外導体におけるアース電位のばらつきが低減し、より良好なアース性能を実現できる。
【００４７】
≪第４の実施形態≫
図６は、第４の実施形態に係る信号処理装置の要部構成を示す断面図である。なお、第４の実施形態に係る共振器装置は、第３の実施形態と同じ構成であり、図５（Ａ）で示した第３の実施形態に係る共振器装置と同じ平面構造を有している。
【００４８】
第４の実施形態に係る信号処理装置８１は、第３の実施形態で示した共振器装置７１および筐体７７に加えて、緩衝材８２を備えるものである。緩衝材８２は、誘電体同軸共振器２Ａ〜２Ｃと、突起部７９との接触面に配置されて、誘電体同軸共振器２Ａ〜２Ｃと突起部７９とを確実に接触させるものである。緩衝材８２としては、例えば、シリコングリスなどのような、ＰＣＢ基板７２よりも良好な熱伝導性と、高い流動性とを有する材料のものを採用することが望ましい。このような緩衝材８２を設けることにより、信号処理装置８１において、誘電体同軸共振器２Ａ〜２Ｃから筐体７７への熱伝達効率をさらに高めることができる。
【００４９】
なお、緩衝材８２は、第１の実施形態や第２の実施形態で説明した構成に追加して設けても良い。どのような構成であっても、緩衝材を突起部と外導体との接触面に設けることにより、より確実な接触と、熱伝達効率の改善とを図ることができる。
また、緩衝材８２は、導電性を有していても、導電性を有していなくてもよいが、導電性を有している場合には、誘電体同軸共振器におけるアース性能の改善を図ることができる。
【００５０】
≪第５の実施形態≫
図７（Ａ）は、第５の実施形態に係る共振器装置を示す平面図である。図７（Ｂ）は、第５の実施形態に係る信号処理装置の要部構成を示す断面図である。
【００５１】
第５の実施形態に係る共振器装置９１は、第３の実施形態で示した共振器装置７１に加えて、カバー材９２を備えるものである。カバー材９２は、誘電体同軸共振器２Ａ〜２Ｃを束ねるように設けられる筒状のアルミ部材である。また、第５の実施形態に係る信号処理装置９３は、共振器装置９１と、筐体７７とを備えている。筐体７７は、共振器装置９１のカバー材９２に接する突起部７９を備えている。
【００５２】
このように、共振器装置９１にカバー材９２を設ける場合には、誘電体同軸共振器２Ａ〜２Ｃから周辺雰囲気への放熱を増やすことができ、より良好な放熱性を実現することができる。また、カバー材９２により、誘電体同軸共振器２Ａ〜２Ｃの外導体におけるアース電位のばらつきを低減することができ、アース性能を改善できる。
なお、カバー材９２に突起部７９を接触させるため、カバー材９２の厚みの分だけ、突起部７９の高さを低減することができる。このことを換言すれば、突起部７９の突起高さが、実装基板の厚みよりも薄い場合に、カバー材９２を厚み調整用の部材として設けることで、カバー材９２と突起部７９とを介した、誘電体同軸共振器２Ａ〜２Ｃから筐体７７への放熱を実現することが可能になる。
【００５３】
また、カバー材９２は、第１の実施形態や第２の実施形態で説明した構成に追加して設けてもよい。また、カバー材９２は、導電性を有していても、導電性を有していなくても良い。
【００５４】
以上の各実施形態で示したような構成で、本発明は実施することができるが、その他にも、特許請求の範囲に記載する範囲の多様な構成でも本発明は実施することができる。例えば、カバー材と緩衝材とを共に設けるように構成することができる、
【符号の説明】
【００５５】
１，６１，７１，９１…共振器装置
２Ａ，２Ｂ，２Ｃ…誘電体同軸共振器
２１…誘電体ブロック
２２…外導体
２３…内導体
２４…貫通孔
３Ａ，３Ｂ，３Ｃ…金属端子
３１…筒部
３２…舌部
４…結合部材
４１…誘電体板
４２Ａ，４２Ｂ，４２Ｃ…天面電極
４３Ａ，４３Ｂ…底面電極
５，６２，７２…ＰＣＢ基板
５１，６３，７３…板部
５２Ａ，５２Ｂ…接続電極
５３…接地電極
１１，７５，８１，９３…信号処理装置
１２，７６…実装基板
１３，７７，９５…筐体
１４，７８…外装板
１５，７９，９４…突起部
６４，７４…開口部
６５…延伸部
８２…緩衝材
９２…カバー材
【図１】
2014112800.tif 000003
【図２】
2014112800.tif 000004
【図３】
2014112800.tif 000005
【図４】
2014112800.tif 000006
【図５】
2014112800.tif 000007
【図６】
2014112800.tif 000008
【図７】
2014112800.tif 000009